(57)【要約】【課題】部品点数を増加させることなく、がたつきや衝突を防止・抑制する。【解決手段】支持部材に対して移動部材をスライド可能に取り付ける場合に、支持部材と移動部材のいずれか一方の部材に設けられた長孔に挿入されて支持部材と移動部材のいずれか他方の部材に取り付けられる椅子のスライダ１であって、互いに異なる方向に弾性変形可能な複数の弾性突部５，６，７を備え、弾性突部５，６，７は弾性力を発揮する方向から一方の部材に接触可能となっている。【選択図】図１
2010094455.tif 000002
【特許請求の範囲】
【請求項１】
支持部材に対して移動部材をスライド可能に取り付ける場合に、前記支持部材と前記移動部材のいずれか一方の部材に設けられた長孔に挿入されて前記支持部材と前記移動部材のいずれか他方の部材に取り付けられる椅子のスライダにおいて、互いに異なる方向に弾性変形可能な複数の弾性突部を備え、前記弾性突部は弾性力を発揮する方向から前記一方の部材に接触可能であることを特徴とする椅子のスライダ。
【請求項２】
前記弾性突起が前記一方の部材に接触する方向は、前記スライダの移動方向からと、前記移動方向に直交する方向からと、前記移動方向と前記直交する方向とに直交する方向からであることを特徴とする請求項１記載の椅子のスライダ。
【発明の詳細な説明】
【技術分野】
【０００１】
本発明は、椅子のスライダに関する。更に詳しくは、本発明は、椅子の支持部材に対して移動部材をスライド可能に取り付ける場合に、支持部材と移動部材のいずれか一方の部材に設けられた長孔に挿入されて前記支持部材と前記移動部材のいずれか他方の部材に取り付けられる椅子のスライダに関するものである。
【背景技術】
【０００２】
椅子の座のスライド機構として、例えば特開２００４−１３５７６６号公報に開示されたものがある。このスライド機構を図１２に示す。座インナーシェル１０１には案内溝１０２が形成されており、この案内溝１０２にスライダ１０３を挿入して座アウターシェル１０４に取り付けることで、案内溝１０２内でスライダ１０３が移動できる範囲で座インナーシェル１０１は座アウターシェル１０４に対して移動可能となる。スライダ１０３の頭部１０５は案内溝１０２の幅よりも幅広であり、座インナーシェル１０１が座アウターシェル１０４から外れるのを防止している。
【０００３】
【特許文献１】特開２００４−１３５７６６号
【発明の開示】
【発明が解決しようとする課題】
【０００４】
しかしながら上記椅子のスライド機構では、構造上、案内溝１０２の縁とスライダ１０３との間にスライダ１０３の移動を可能にするための隙間が必要となる。そのため、スライダ１０３にがたつきが生じると共に、がたつきに起因した異音が発生する。また、スライダ１０３を案内溝１０２の端まで移動させると、スライダ１０３が案内溝１０２の縁に衝突し、大きな衝撃や衝突音が発生する。
【０００５】
上記のスライダ１０３のがたつきや案内溝１０２の縁への衝突は、緩衝部材を新たに設けることで防止したり抑制することは可能である。しかしながら、緩衝部材を新たに設ける場合には、部品点数を増加させることになる。
【０００６】
本発明は、部品点数を増加させることなく、がたつきや衝突を防止・抑制することができる椅子のスライダを提供することを目的とする。
【課題を解決するための手段】
【０００７】
かかる目的を達成するために、請求項１記載の発明は、支持部材に対して移動部材をスライド可能に取り付ける場合に、支持部材と移動部材のいずれか一方の部材に設けられた長孔に挿入されて支持部材と移動部材のいずれか他方の部材に取り付けられる椅子のスライダにおいて、互いに異なる方向に弾性変形可能な複数の弾性突部を備え、弾性突部は弾性力を発揮する方向から一方の部材に接触可能とされている。
【０００８】
したがって、支持部材に対して移動部材を移動させると、長孔内をスライダが移動する。スライダに複数設けられている弾性突部は、互いに異なる方向から長孔が設けられている一方の部材に接触するので、スライダの移動を可能にするためにスライダと一方の部材との間に発生する隙間を埋めてがたつきを防止することや、スライダが移動して長孔の端に到達した時の衝突の衝撃を吸収し緩和することが可能になる。
【０００９】
また、請求項２記載の椅子のスライダは、弾性突起が一方の部材に接触する方向は、スライダの移動方向からと、移動方向に直交する方向からと、移動方向と前記直交方向とに直交する方向からである。したがって、三次元的にがたつきや移動時の衝突による衝撃の発生を抑えることができる。
【発明の効果】
【００１０】
請求項１記載の椅子のスライダでは、スライダに複数の弾性突部を備えているので、移動部材を長孔の端まで移動させた場合の衝撃緩和と、移動部材のがたつき防止との少なくともいずれか一方を行なうことができ、椅子の使い心地や座り心地等の感性品質を向上させることができる。また、スライダに弾性突部を設けているので、衝撃緩和のための部材やがたつき防止のための部材を別個に設ける必要がなくなり、部品点数を増加させることがなく、椅子の組み付け作業を容易にできると共に製造コストを抑えることができる。さらに、弾性突部の弾性変形によって、部品寸法のばらつきや組み付け誤差等を吸収することができるので、移動部材の移動をスムーズなものにすることができて使い心地を向上させることができると共に、部品の寸法精度や組み付け精度に対する要求を緩和することができ、この点からも製造コストを抑えることができる。
【００１１】
また、請求項２記載の椅子のスライダでは、互いに直交する３方向から弾性突起を一方の部材に接触させることができるので、三次元的にがたつきや移動時の衝突による衝撃の発生を抑えることができる。
【発明を実施するための最良の形態】
【００１２】
以下、本発明の構成を図面に示す最良の形態に基づいて詳細に説明する。
【００１３】
図１〜図７に、本発明の椅子のスライダの第１の実施形態を示す。本実施形態の椅子のスライダ（以下、単にスライダという）１は、支持部材２に対して移動部材３をスライド可能に取り付ける場合に、支持部材２と移動部材３のいずれか一方の部材に設けられた長孔４に挿入されて支持部材２と移動部材３のいずれか他方の部材に取り付けられるものであって、互いに異なる方向に弾性変形可能な複数の弾性突部を備え、弾性突部は弾性力を発揮する方向から一方の部材に接触可能となっている。本実施形態では、スライダ本体１ａに３方向の弾性突部５，６，７を設けている。
【００１４】
本発明のスライダ１は、椅子のスライド機構に使用されるものである。したがって、椅子のスライド機構と一緒に本発明のスライダ１について説明する。
【００１５】
椅子のスライド機構（以下、単にスライド機構という）は、支持部材２と移動部材３のいずれか一方の部材に設けられた長孔４にスライダ１を通して支持部材２と移動部材３のいずれか他方の部材に取り付けると共に、スライダ１の長孔４からの突出部分に設けられている長孔４の幅よりも広い幅広部１ｂによって移動部材３の支持部材２からの脱落を防止し、長孔４に対してスライダ１が往復移動できる範囲で移動部材３を支持部材２に対して長孔４の長手方向に摺動可能に取り付けるものである。スライダ１には、一方の部材に対する往復移動方向の緩衝部（第１の弾性突部５、以下、緩衝部５という。）と、長孔４の幅方向のがたつきを防止する第１のばね部（第２の弾性突部６、以下、第１のばね部６という。）と、スライダ１の高さ方向のがたつきを防止する第２のばね部（第３の弾性突部７、以下、第２のばね部７という。）が設けられている。
【００１６】
本実施形態のスライド機構は座のスライド機構であり、座フレームに対して座のアウターシェルを移動可能に取り付けるものである。ただし、座のスライド機構としては、座フレームに対して座のアウターシェルを移動させる構造のものに限るものではなく、その他の構造の座のスライド機構でも良い。例えば、座アウターシェルに対して座インナーシェルを移動させる座のスライド機構でも良い。また、座のスライド機構に限るものではなく、支持部材２に対して移動部材３を移動可能に取り付けるものであれば、座以外のスライド機構にも適用可能である。
【００１７】
本実施形態では、長孔４を移動部材３（一方の部材）に設け、スライダ１を支持部材２（他方の部材）に取り付けている。ただし、必ずしもこれに限るものではなく、長孔４を支持部材２（一方の部材）に設け、スライダ１を移動部材３（他方の部材）に取り付けても良い。
【００１８】
支持部材２は、図示しない椅子の座受け部材に取り付けられる座フレームである。支持部材２は例えば樹脂製のものである。ただし、樹脂製に限るものではなく、金属製等であっても良い。支持部材２の上面の四隅近傍には、ねじ用孔２ａを有するスライダ取付部２ｂが設けられている。また、支持部材２の上面両側部には、移動部材３を摺動可能に支持する凸条２ｃが一体成形されている。
【００１９】
移動部材３はアウターシェルである。移動部材３は例えば樹脂製のものである。ただし、樹脂製に限るものではなく、金属製等であっても良い。移動部材３のスライダ取付部２ｂに対向する位置には、長孔４が形成されている。長孔４はスライダ１の数と同じ数だけ設けられている。ただし、必ずしも長孔４をスライダ１の数と同じ数だけ設ける必要はなく、例えばスライダ１の数の半分にして１つの長孔４に２つのスライダ１を挿入するようにしても良い。本実施形態では、移動部材３を椅子の前後方向に往復移動可能にするため、長孔４は椅子の前後方向に細長く形成されている。長孔４の幅は、スライダ１のスライダ本体１ａの幅よりも若干広くなっており、スライドを可能にする隙間が設けられている。長孔４の両脇のうち椅子の外側に位置する脇には一段低くなった段部３ａが設けられている。
【００２０】
スライダ１は例えば樹脂製のものである。ただし、樹脂製に限るものではない。スライダ１には緩衝部５と第１のばね部６と第２のばね部７が設けられている。本実施形態では、３方向の弾性突部即ち緩衝部５と第１のばね部６と第２のばね部７は、スライダ本体１ａに一体成形されている。ただし、これらをスライダ本体１ａに対して一体成形しなくても良い。本実施形態では、スライダ１を４つ使用している。
【００２１】
緩衝部５には、スライダ１の往復移動方向（本実施形態では前方向と後方向）の一方向（本実施形態では前方向）に対するものと、他方向（本実施形態では後方向）に対するものとがある。一方向即ち前方向に対する緩衝部（以下、前方向緩衝部という）５と他方向（後方向）に対する緩衝部（以下、後方向緩衝部という）５とを同一のスライダ１に設けても良いし、別々のスライダ１に設けても良い。本実施形態では、前方向緩衝部５と後方向緩衝部５とは別々のスライダ１に設けられている。より具体的には、支持部材２の四隅近傍に配置される４つのスライダ１のうち、後側に配置される２つのスライダ１に前方向緩衝部５が、前側に配置される２つのスライダ１に後方向緩衝部５がそれぞれ設けられている。ただし、必ずしもこのような構成にする必要はなく、例えば前側に配置される２つのスライダ１に前方向緩衝部５を、後側に配置される２つのスライダ１に後方向緩衝部５を設けても良く、あるいは右側に配置される２つのスライダ１と左側に配置される２つのスライダ１とで前方向緩衝部５と後方向緩衝部５を区別して設けても良い。
【００２２】
緩衝部５はスライダ１が移動して長孔４の縁に衝突した場合の衝撃を吸収し緩和するばねである。本実施形態では、円弧状に湾曲する板ばねである。ただし、緩衝部５は円弧状に湾曲する板ばねに限るものではなく、その他の形状の板ばねでも良く、あるいは板ばね以外のばねでも良い。前方向緩衝部５は後側のスライダ１のスライダ本体１ａの後端面に、後方向緩衝部５は前側のスライダ１のスライダ本体１ａの前端面にそれぞれ設けられている。即ち、前方向緩衝部５と後方向緩衝部５とのいずれも弾性力を発揮する方向から長孔４の縁に接触するように設けられている。緩衝部５は各端面の下辺部分から上に向けて設けられている。ただし、必ずしも緩衝部５を各端面の下辺部分から上に向けて設ける必要はなく、例えば各端面の上辺部分から下に向けて設けても良く、外側辺から内側に向けて設けても良く、内側辺から外側に向けて設けても良い。また、緩衝部５を各端面の中央部分に設けても良い。さらに、緩衝部５を上下面や左右側面に設けても良い。本実施形態では、１つのスライダ１に緩衝部５を２つずつ並べて設けている。ただし、必ずしも緩衝部５を２つ設ける必要はなく、１つでも良く、あるいは３つ以上を並べて設けても良い。また、緩衝部５を複数設けた場合は並べて設けなくても良い。
【００２３】
第１のばね部６には、移動部材３が長孔４の幅方向（本実施形態では椅子の右方向と左方向）の一方向（本実施形態では右方向）に移動する場合のがたつきを防止するものと、他方向（本実施形態では左方向）に移動する場合のがたつきを防止するものとがある。一方向（右方向）に移動する場合のがたつきを防止する第１のばね部（以下、右方向ばね部という）６と他方向（左方向）に移動する場合のがたつきを防止する第１のばね部（以下、左方向ばね部という）６とを同一のスライダ１に設けても良いし、別々のスライダ１に設けても良い。本実施形態では、右方向ばね部６と左方向ばね部６とは別々のスライダ１に設けられている。より具体的には、支持部材２の四隅近傍に配置される４つのスライダ１のうち、右側に配置される２つのスライダ１に右方向ばね部６が、左側に配置される２つのスライダ１に左方向ばね部６がそれぞれ設けられている。ただし、必ずしもこのような構成にする必要はなく、例えば左側に配置される２つのスライダ１に右方向ばね部６を、右側に配置される２つのスライダ１に左方向ばね部６を設けても良く、あるいは前側に配置される２つのスライダ１と後側に配置される２つのスライダ１とで左方向ばね部６と右方向ばね部６を区別して配置しても良い。
【００２４】
本実施形態では、第１のばね部６は円弧状に湾曲する板ばねである。ただし、第１のばね部６は円弧状に湾曲する板ばねに限るものではなく、その他の形状の板ばねでも良く、あるいは板ばね以外のばねでも良い。右方向ばね部６は右側のスライダ１のスライダ本体１ａの左側面に、左方向ばね部６は左側のスライダ１のスライダ本体１ａの右側面にそれぞれ設けられている。即ち、右方向ばね部６と左方向ばね部６とのいずれも弾性力を発揮する方向から長孔４の縁に接触するように設けられている。第１のばね部６は緩衝部５が設けられている端とは反対側の端からスライダ本体１ａのねじ用孔１ｃを中心とする円弧状に水平に形成されている。ただし、必ずしも第１のばね部６をこのように形成する必要はない。例えば、第１のばね部６を緩衝部５側の端に設けても良く、各側面の中央部分に設けても良い。また、第２のばね部７を上下面や前後面に設けても良い。さらに、必ずしも第１のばね部６を水平に設ける必要なく、例えば上下方向に設けても良く、その他の角度で設けても良い。本実施形態では、１つのスライダ１に第１のばね部６を１つずつ設けている。ただし、第１のばね部６の数はスライダ１毎に１つずつに限るものではなく、スライダ１毎に複数設けても良い。
【００２５】
本実施形態では、第２のばね部７は緩やかに湾曲する板ばねである。ただし、第２のばね部７は緩やかに湾曲する板ばねに限るものではなく、その他の形状の板ばねでも良く、あるいは板ばね以外のばねでも良い。第２のばね部７は第１のばね部６と反対側の側面に設けられている。即ち、支持部材２の四隅近傍に配置される４つのスライダ１のうち、右側に配置される２つのスライダ１については右側面に、左側に配置される２つのスライダ１については左側面に第２のばね部７がそれぞれ設けられている。
【００２６】
第２のばね部７は各側面の上辺部分から斜め下に向けて設けられている。即ち、第２のばね部７は弾性力を発揮する方向から長孔４の縁である段部３ａに接触するように設けられている。ただし、必ずしも第２のばね部７を各端面の上辺部分から斜め下に向けて設ける必要はなく、例えば各側面の下辺部分から斜め上に向けて設けても良い。また、第２のばね部７を各側面の中央部分に設けても良い。さらに、第２のばね部７を上下面や前後面に設けても良い。本実施形態では、１つのスライダ１に第１のばね部６を１つずつ設けている。ただし、第２のばね部７の数はスライダ１毎に１つずつに限るものではなく、スライダ１毎に複数設けても良い。
【００２７】
各スライダ１に設けられている緩衝部５と第１のばね部６と第２のばね部７は、以上の通りであるが、纏めると以下の通りである。右前のスライダ１には、後方向緩衝部５と右方向ばね部６と第２のばね部７が設けられている。左前のスライダ１には、後方向緩衝部５と左方向ばね部６と第２のばね部７が設けられている。右後のスライダ１には、前方向緩衝部５と右方向ばね部６と第２のばね部７が設けられている。左後のスライダ１には、前方向緩衝部５と左方向ばね部６と第２のばね部７が設けられている。このように、各スライダ１とも互いに直交する３方向に弾性変形可能な弾性突部５，６，７を備え、各弾性突部５，６，７を弾性力を発揮する方向から移動部材３に接触可能にしている。
【００２８】
本実施形態では、２種類の形状のスライダ１を使用し、同一形状のスライダ１を前後左右を逆にして対角線上に配置することで、各スライダ１の緩衝部５と第１のばね部６と第２のばね部７の位置関係を上述のようにしている。即ち、右前のスライダ１と左後のスライダ１として同一形状のものを使用し、左前のスライダ１と右後のスライダ１として同一形状のものを使用している。
【００２９】
幅広部１ｂは、スライダ本体１ａの長孔４からの突出部分に設けられている。本実施形態では、幅広部１ｂは第２のばね部７と同じ側面、即ち段部３ａが設けられている側の側面に設けられている。幅広部１ｂは段部３ａの上に向けて突出している。したがって、幅広部１ｂが設けられている部分では、スライダ１の幅は長孔４の幅よりも広くなり、長孔４を通り抜けることはできない。幅広部１ｂと段部３ａとの間には、スライドの移動を可能にする程度の隙間が設けられている。
【００３０】
次に、移動部材３の組み付けについて説明する。
【００３１】
支持部材２の凸条２ｃの上に移動部材３を載せ、スライダ取付部２ｂの位置に長孔４の位置を合わせる。この状態で移動部材３の上からスライダ１を長孔４内に挿入する。スライダ本体１ａは長孔４を通り抜けて支持部材２のスライダ取付部２ｂに当る。一方、第２のばね部７は段部３ａに当り、幅広部１ｂは若干の隙間をあけて段部３ａに対向する。スライダ取付部２ｂのねじ用孔２ａの位置とスライダ本体１ａのねじ用孔１ｃの位置を合わせ、図示しないボルトとナットによってスライダ本体１ａをスライダ取付部２ｂに固定する。これにより、第１のばね部６が長孔４の縁に水平に押し付けられて若干弾性変形し、スライダ１と長孔４の縁との間に生じる長孔４の幅方向の隙間（以下、単に幅方向隙間という）を埋める。即ち、右方向ばね部６と左方向ばね部６とで移動部材３の長孔４間の部位を挟み込むようにして幅方向隙間を埋める。また、第２のばね部７が段部３ａに垂直に押し付けられて若干弾性変形し、スライダ１の幅広部１ｂと段部３ａとの間に生じるスライダ１の高さ方向の隙間（以下、単に高さ方向隙間という）を埋める。このようにして全てのスライダ１を支持部材２のスライダ取付部２ｂに固定すると、移動部材３が移動可能に支持部材２に取り付けられる。
【００３２】
移動部材３を持上げる等して支持部材２から離そうとしても、幅広部１ｂが段部３ａに当たり長孔４を通り抜けることができないので、支持部材２から移動部材３が外れることはない。また、移動部材３とスライダ１との間の幅方向隙間と高さ方向隙間は第１のばね部６と第２のばね部７によって埋められているので、支持部材２に対する移動部材３のがたつきを防止することができる。
【００３３】
次に、移動部材３の移動について説明する。
【００３４】
支持部材２に対して移動部材３を前方又は後方に向けて移動させると、４つのスライダ１が各長孔４内を後方又は前方に相対的移動する。例えば、移動部材３を前方に向けて移動させた場合、図６に示すように、各スライダ１が各長孔４の後端部に到達すると、即ち移動部材３を最も前の位置（移動範囲の前端）に移動させると、後側の２つのスライダ１の前方向緩衝部５が長孔４の縁に衝突する（図６（Ｃ），（Ｄ））。このときの衝撃は前方向緩衝部５によって吸収され緩和される。なお、この状態では前側の２つのスライダ１は長孔４の縁には当らず、両者間には若干の隙間が設けられているので、衝撃が発生することはない（図６（Ａ），（Ｂ））。第１のばね部６及び第２のばね部７は長孔４の縁又は段部３ａに対して弾性変形しながら接触しているが、それらの形状により線接触又は狭い面積での接触になるので、スライダ１の移動に対して大きな抵抗力を発生させることがない。したがって、スライダ１即ち移動部材３をスムーズに移動させることができ、使い勝手を良くすることができる。また、移動部材３を後方に向けて移動させた場合には、図７に示すように、前側の２つのスライダ１の後方向緩衝部５によって移動部材３が最も後の位置（移動範囲の後端）に到達したときの衝撃を吸収し緩和することができる。
【００３５】
本発明では、緩衝部５によって移動部材３を移動範囲の端まで移動させた場合の衝撃緩和を行なうことができ、第１のばね部６と第２のばね部７によって移動部材３のがたつきを防止することができるので、椅子の使い心地や座り心地等の感性品質を向上させることができる。また、スライダ１に緩衝部５と第１のばね部６と第２のばね部７を設けているので、部品点数を増加させることがなく、椅子の組み付け作業を容易にできると共に製造コストを抑えることができる。さらに、緩衝部５や第１及び第２のばね部６，７によって、部品寸法のばらつきや組み付け誤差等を吸収することができるので、移動部材３の移動をスムーズなものにすることができて使い心地を向上させることができると共に、部品の寸法精度や組み付け精度に対する要求を緩和することができ、この点からも製造コストを抑えることができる。
【００３６】
なお、上述の説明では、４つのスライダ１を使用していたが、スライダ１の数は４つに限るものではない。
【００３７】
次に、本発明の椅子のスライダ１の第２の実施形態について説明する。なお、上述の部材と同一の部材については同一の符号を付し、それらについての詳しい説明は省略する。
【００３８】
本実施形態では、スライダ本体１ａに４方向の弾性突部を設けている。本実施形態のスライダ１は、肘掛け支持フレーム（支持部材２）に対して肘掛けベース（移動部材３）を移動可能に取り付ける肘掛けのスライド機構に使用される。また、本実施形態では、長孔４を移動部材３（一方の部材）に設け、スライダ１を支持部材２（他方の部材）に取り付けているが、長孔４を支持部材２（一方の部材）に設け、スライダ１を移動部材３（他方の部材）に取り付けても良い。
【００３９】
支持部材２は、図示しない椅子の座受け部材に取り付けられる肘掛け支持フレームである。移動部材３は肘掛けベースである。肘掛けベースには、例えばパッド材８が成形されたインナーシェル等が被せられている。移動部材３の幅方向中央には前後方向に沿って１本の長孔４が形成されている。本実施形態では、長孔４に移動部材３の向きを変えるための凹部４ａを設けている。凹部４ａは長孔４の先端部と中央近傍に設けられており、移動部材３を最も前に移動させた場合と最も後に移動させた場合とで向きを変えることができる。凹部４ａは長孔４の左右両側に設けられており、移動部材３を左右両側に向きを変えることができる。長孔４及び凹部４ａの周囲には一段低くなった段部３ａが設けられている。
【００４０】
スライダ１には、緩衝部（第１の弾性突部）５と、第１のばね部（第２の弾性突部）６，６と、第２のばね部（第３の弾性突部）７が設けられている。
【００４１】
本実施形態の緩衝部５は、スライダ１の往復移動方向（本実施形態では前方向と後方向）の一方向（前方向）に対するものである。緩衝部５は、例えばスライダ本体１ａの後側上端から斜め下に向けて伸びて、長孔４の縁（本実施形態では長孔４の縁に設けられた段部３ａの側壁３ｂ）に当ることが可能な板ばねである。即ち、緩衝部５は弾性力を発揮する方向から長孔４の縁に接触するように設けられている。
【００４２】
なお、本実施形態では、スライダ１の他に補助スライダ９を備えており、スライダ１の往復移動方向の他方向（後方向）に対する緩衝部５は補助スライダ９に設けられている。補助スライダ９の緩衝部５は、例えば本体９ａの前側上端から斜め下に向けて伸びて、長孔４の縁（本実施形態では長孔４の縁に設けられた段部３ａの側壁３ｂ）に当ることが可能な板ばねである。即ち、緩衝部５は弾性力を発揮する方向から長孔４の縁に接触するように設けられている。補助スライダ９は、スライダ１と所定の間隔をあけて前側に設けられている。
【００４３】
本実施形態でも、第１の実施形態と同様に、第１のばね部６には右方向ばね部６と左方向ばね部６とがある。ただし、本実施形態のスライダ１には右方向ばね部６と左方向ばね部６の両方が設けられている。第１のばね部６は円弧状に湾曲する板ばねである。ただし、第１のばね部６は円弧状に湾曲する板ばねに限るものではなく、その他の形状の板ばねでも良く、あるいは板ばね以外のばねでも良い。右方向ばね部６はスライダ本体１ａの左側面に、左方向ばね部６はスライダ本体１ａの右側面にそれぞれ設けられている。即ち、右方向ばね部６と左方向ばね部６とのいずれも弾性力を発揮する方向から長孔４の縁（本実施形態では長孔４の縁に設けられた段部３ａの側壁３ｂ）に当ることが可能な板ばねである。
【００４４】
本実施形態の第２のばね部７は、斜め下方に向けて折り曲げられた板ばねである。即ち、第２のばね部７は弾性力を発揮する方向から長孔４の縁である段部３ａに接触するように設けられている。ただし、第２のばね部７はこのような板ばねに限るものではなく、その他の形状の板ばねでも良く、あるいは板ばね以外のばねでも良い。第２のばね部７は、スライダ本体１ａの前部両側面にそれぞれ設けられている。
【００４５】
なお、幅広部９ｃは、スライダ１の他に、補助スライダ９にも設けられている。補助スライダ９の幅広部９ｃは皿ばね形状を成し、本体９ａに一体成形されている。
【００４６】
以上のように、本実施形態のスライダ１では、互いに異なる４方向、具体的には前方向、右方向、左方向、下方向に弾性変形可能な４つの弾性突部５，６，６，７を備え、各弾性突部５，６，６，７を弾性力を発揮する方向から移動部材３に接触可能にしている。また、本実施形態の幅広部１ｂはスライダ本体１ａの両側に設けられている。
【００４７】
スライダ１のスライダ本体１ａにはねじ用孔１ｃが設けられている。スライダ１はねじ用孔１ｃに挿入されたねじ１０によって支持部材２に取り付けられている。同様に、補助スライダ９の本体９ａにもねじ用孔９ｂが設けられており、補助スライダ９はねじ用孔９ｂに挿入されたねじ１０によって支持部材２に取り付けられている。
【００４８】
次に、移動部材３の組み付けについて説明する。
【００４９】
支持部材２の上に移動部材３を載せ、位置合わせする。この状態で、移動部材３の上からスライダ１を長孔４内に挿入する。スライダ１のスライダ本体１ａは長孔４を通り抜けて支持部材２の上面に当る。一方、第２のばね部７は段部３ａに当り、幅広部１ｂは若干の隙間をあけて段部３ａに対向する。そして、スライダ１を支持部材２の上面にねじ止めする。これにより、第１のばね部６が長孔４の縁である段部３ａの側壁３ｂに水平に押し付けられて若干弾性変形し、幅方向隙間を埋める。即ち、右方向ばね部６と左方向ばね部６とが両脇の段部３ａの側壁３ｂの間に広がるようにして幅方向隙間を埋める。また、第２のばね部７が段部３ａに垂直に押し付けられて若干弾性変形しながら高さ方向隙間を埋める。同様に、補助スライダ９も長孔４を通して支持部材２の上面の所定位置にねじ止めされる。このようにして移動部材３が移動可能に支持部材２に取り付けられる。その後、移動部材３にパッド材８が成形されたインナーシェルを被せることで、肘掛けの組み付けが完了する。
【００５０】
移動部材３を持上げる等して支持部材２から離そうとしても、スライダ１と補助スライダ９の幅広部１ｂ，９ｃが段部３ａに当たり長孔４を通り抜けることができないので、支持部材２から移動部材３が外れることはない。また、移動部材３とスライダ１との間の幅方向隙間と高さ方向隙間は第１のばね部６と第２のばね部７によって埋められているので、支持部材２に対する移動部材３のがたつきを防止することができる。
【００５１】
次に、移動部材３の移動について説明する。
【００５２】
支持部材２に対して移動部材３を前方又は後方に向けて移動させると、スライダ１及び補助スライダ９が各長孔４内を後方又は前方に移動する。例えば、移動部材３を前方に向けて移動させた場合、図９及び図１０に示すように、スライダ１が長孔４の後端部に到達すると、即ち移動部材３を最も前の位置（移動範囲の前端）に移動させると、スライダ１に設けられた前方向緩衝部５が長孔４の縁である段部３ａの側壁３ｂに衝突する。このときの衝撃は前方向緩衝部５によって吸収され緩和される。第１のばね部６及び第２のばね部７は段部３ａの側壁３ｂ又は段部３ａに対して弾性変形しながら接触しているが、それらの形状により線接触又は狭い面積での接触になっているので、スライダ１の移動に対して大きな抵抗力を発生させることがない。したがって、スライダ１即ち移動部材３をスムーズに移動させることができ、肘掛けの使い勝手を良くすることができる。また、移動部材３を後方に向けて移動させた場合には、補助スライダ９に設けられた後方向緩衝部５によって移動部材３が最も後の位置（移動範囲の後端）に到達したときの衝撃を吸収し緩和することができる。
【００５３】
なお、移動部材３を最も前の位置又は最も後の位置まで移動させると、補助スライダ９が長孔４の凹部４ａに対向する。この状態で、スライダ１を中心に移動部材３の向きを変えると、補助スライダ９が凹部４ａに移動する。これにより、移動部材３即ち肘掛けの向きを変えることができる。
【００５４】
本実施形態でも、第１の実施形態と同様に、緩衝部５によって移動部材３を移動範囲の端まで移動させた場合の衝撃緩和を行なうことができ、第１のばね部６と第２のばね部７によって移動部材３のがたつきを防止することができるので、肘掛けの使い心地等の感性品質を向上させることができる。また、スライダ１に緩衝部５と第１のばね部６と第２のばね部７を設けているので、部品点数を増加させることがなく、肘掛けの組み付け作業を容易にできると共に製造コストを抑えることができる。さらに、緩衝部５や第１及び第２のばね部６，７によって、部品寸法のばらつきや組み付け誤差等を吸収することができるので、移動部材３の移動をスムーズなものにすることができて使い心地を向上させることができると共に、部品の寸法精度や組み付け精度に対する要求を緩和することができ、この点からも製造コストを抑えることができる。
【００５５】
なお、上述の形態は本発明の好適な形態の一例ではあるがこれに限定されるものではなく本発明の要旨を逸脱しない範囲において種々変形実施可能である。
【００５６】
例えば、上述の説明では、スライダ１を座のスライド機構と肘掛けのスライド機構に適用していたが、これら以外のスライド機構、例えば背のスライド機構、ヘッドレストのスライド機構等に適用しても良い。
【００５７】
また、上述の説明では、１つのスライダに３方向又は４方向の弾性突部を設けていたが、いずれか２方向の弾性突部を設けても良く、あるいは５方向の弾性突部（即ち前方向、後方向、右方向、左方向、下方向）を設けても良い。
【図面の簡単な説明】
【００５８】
【図１】本発明の椅子のスライダの第１の実施形態を示し、（Ａ）は右前に配置されるスライダの斜視図、（Ｂ）は左前に配置されるスライダの斜視図、（Ｃ）は右後に配置されるスライダの斜視図、（Ｄ）は左後に配置されるスライダの斜視図である。
【図２】同スライダを示し、（Ａ）は右前に配置されるスライダの平面図、（Ｂ）は左前に配置されるスライダの平面図、（Ｃ）は右後に配置されるスライダの平面図、（Ｄ）は左後に配置されるスライダの平面図である。
【図３】同スライダを示し、（Ａ）は右前に配置されるスライダの底面図、（Ｂ）は左前に配置されるスライダの底面図、（Ｃ）は右後に配置されるスライダの底面図、（Ｄ）は左後に配置されるスライダの底面図である。
【図４】同スライダを使用した座のスライド機構を示す斜視図である。
【図５】同スライダ機構を示し、支持部材とスライダとの関係を示す分解斜視図である。
【図６】移動部材を最も前の位置に移動させた状態の長孔とスライダとの関係を示し、（Ａ）は右前に配置されるスライダの平面図、（Ｂ）は左前に配置されるスライダの平面図、（Ｃ）は右後に配置されるスライダの平面図、（Ｄ）は左後に配置されるスライダの平面図である。
【図７】移動部材を最も後の位置に移動させた状態の長孔とスライダとの関係を示し、（Ａ）は右前に配置されるスライダの平面図、（Ｂ）は左前に配置されるスライダの平面図、（Ｃ）は右後に配置されるスライダの平面図、（Ｄ）は左後に配置されるスライダの平面図である。
【図８】本発明の椅子のスライダの第２の実施形態を示し、（Ａ）は平面図、（Ｂ）は正面図、（Ｃ）は側面図である。
【図９】同スライダを使用した肘掛けのスライド機構を示す平面図である。
【図１０】同スライド機構の長孔の長手方向に沿う断面図である。
【図１１】同スライド機構の長孔の幅方向に沿う断面図である。
【図１２】従来の座のスライド機構を示す分解斜視図である。
【符号の説明】
【００５９】
１  スライダ
２  支持部材
３  移動部材
４  長孔
５  緩衝部（弾性突部）
６  第１のばね部（弾性突部）
７  第２のばね部（弾性突部）
【図４】
2010094455.tif 000003
【図６】
2010094455.tif 000004
【図７】
2010094455.tif 000005
【図８】
2010094455.tif 000006
【図９】
2010094455.tif 000007
【図１０】
2010094455.tif 000008
【図１１】
2010094455.tif 000009
【図１２】
2010094455.tif 000010
【図１】
2010094455.tif 000011
【図２】
2010094455.tif 000012
【図３】
2010094455.tif 000013
【図５】
2010094455.tif 000014